(57)【要約】      （修正有）【課題】見栄えが良く耐候性に優れると共に、メンテナンスが容易な積層ゴム支承体を提供する。【解決手段】積層ゴム支承体（以下、単に「支承体」という。）は、鋼板１とゴム板２とを上下方向に交互に複数積層して積層体３を構成すると共に、その積層体３の上下端に、それぞれ上部プレート４と下部プレート５を取り付けた。支承体における積層体３の外周面に被覆ゴム層６を設けると共に、その被覆ゴム層６の外周に複数の保護ゴム層７を剥離容易な状態で積層する。【選択図】図１
2011058312.tif 000002
【特許請求の範囲】
【請求項１】
鋼板とゴム板とを上下方向に交互に複数積層してなる積層体の両端にプレートを取り付けてなる積層ゴム支承体において、
前記積層体の外周面に被覆ゴム層を設けると共に、該被覆ゴム層の外周の少なくとも一部に複数の保護ゴム層を剥離容易な状態で積層した積層ゴム支承体。
【請求項２】
前記被覆ゴム層と最内層の保護ゴム層との間の接合面、及び複数の保護ゴム層の間の接合面に、接着部と非接着部とを配置した請求項１に記載の積層ゴム支承体。
【請求項３】
隣接する前記接合面における前記接着部と非接着部が、それぞれと同じ部分と径方向で重ならないようにした請求項１又は２に記載の積層ゴム支承体。
【請求項４】
前記複数の保護ゴム層を互いに異なる色で着色した請求項１〜３のいずれかに記載の積層ゴム支承体。
【請求項５】
橋梁用の支持装置である請求項１〜４のいずれかに記載の積層ゴム支承体。
【発明の詳細な説明】
【技術分野】
【０００１】
本発明は積層ゴム支承体に関し、更に詳しくは、見栄えが良く耐候性に優れると共に、メンテナンスが容易な積層ゴム支承体に関する。
【背景技術】
【０００２】
建築物や橋梁などの構造物の免震装置又は支持装置として、鋼板とゴム板とを複数積層した積層体の上下にプレートを取り付けた積層ゴム支承体が用いられている。一般に、建築物や橋梁は数十年にわたって使用されるため、積層ゴム支承体にもそれに見合う耐久性が要求される。しかし、積層体を構成するゴム板の外周面は、特に屋外で使用されると、大気中に含まれるオゾンや太陽光などにより劣化するため、積層体の外周に保護用のゴム層を設けることにより耐候性を向上させることが従来より行われている。
【０００３】
しかし、上記のように積層体の外周に保護用のゴム層を設けると、そのゴム層の表面にオゾンクラックなどの損傷が認められたときには、内部のゴム板まで損傷が及んでいるか否かを確認することができないため、安全性を担保するには積層ゴム支承体そのものを交換しなければならないという問題があった。
【０００４】
このような問題を解決するため、特許文献１は、加硫接着後の積層体の外周に、主にゴムシートからなる保護層を着脱可能に巻き付けた積層ゴム支承体を提案している。
【０００５】
しかし、上記特許文献１の積層ゴム支承体では、保護層に損傷が認められたときには、保護層全体を交換しなければならないため、メンテナンスに手間がかかるという問題があった。また、ゴムシートの端部を互いに重ね合わせるため、積層ゴム支承体の見栄えが悪くなるという問題もあった。
【先行技術文献】
【特許文献】
【０００６】
【特許文献１】特開２００８−２１５４８６号公報
【発明の概要】
【発明が解決しようとする課題】
【０００７】
本発明の目的は、見栄えが良く耐候性に優れると共に、メンテナンスが容易な積層ゴム支承体を提供することにある。
【課題を解決するための手段】
【０００８】
上記の目的を達成する本発明の積層ゴム支承体は、鋼板とゴム板とを上下方向に交互に複数積層してなる積層体の両端にプレートを取り付けてなる積層ゴム支承体において、前記積層体の外周面の少なくとも一部に被覆ゴム層を設けると共に、該被覆ゴム層の外周に複数の保護ゴム層を剥離容易な状態で積層したことを特徴とするものである。
【０００９】
被覆ゴム層と最内層の保護ゴム層との間の接合面、及び複数の保護ゴム層の間の接合面には、接着部と非接着部とを配置することが望ましい。また、隣接する接合面における接着部と非接着部が、それぞれと同じ部分と径方向で重ならないようにするのがよい。更に、複数の保護ゴム層を互いに異なる色で着色することが望ましい。
【００１０】
本発明の積層ゴム支承体は、橋梁用の支持装置として好適に用いられる。
【発明の効果】
【００１１】
本発明の積層ゴム支承体によれば、積層体の外周面に被覆ゴム層を設けると共に、その被覆ゴム層の外周に複数の保護ゴム層を剥離容易な状態で積層するようにしたので、それら被覆ゴム層及び複数の保護ゴム層によって支承体のゴム板の外周面を保護して支承体の耐候性を優れたものにすると共に、保護ゴム層がオゾンクラックなどの損傷を受けたときには、その損傷した保護ゴム層のみを剥離するだけでよいため、メンテナンスを容易にすることができる。また、保護ゴム層の端部を互いに重ね合わせるようなことがないため、支承体の見栄えを損なうことはない。
【図面の簡単な説明】
【００１２】
【図１】本発明の実施形態からなる積層ゴム支承体の断面図である。
【図２】図１におけるＸ部の拡大断面図である。
【図３】保護ゴム層の接合面における接着部の配置を示す外観図であって、（ａ）は千鳥格子状のパターンを、（ｂ）は縞馬状のパターンを、それぞれ示す。
【図４】本発明の別の実施形態からなる積層ゴム支承体の断面図である。
【発明を実施するための形態】
【００１３】
以下に、本発明の実施の形態について、図面を参照して説明する。
【００１４】
図１は、本発明の実施形態からなる積層ゴム支承体を示す。
【００１５】
この積層ゴム支承体（以下、単に「支承体」という。）は、鋼板１とゴム板２とを上下方向に交互に複数積層して積層体３を構成すると共に、その積層体３の上下端に、それぞれ上部プレート４と下部プレート５を取り付けたものである。この支承体を設置する際には、上部プレート３は建築物や橋梁などの構造物に、下部プレート４は地盤や橋台などに、それぞれ接続固定される。なお、積層体３の中心域に貫通孔を形成し、その中に鉛プラグを設置するようにしてもよい。
【００１６】
このような支承体において、図２に示すように、積層体３の外周面には厚肉の被覆ゴム層６が設けられていると共に、その被覆ゴム層６の外周には複数の薄肉の保護ゴム層７（この例では３層）が積層されている。被覆ゴム層６は積層体３と強固に加硫接着している一方で、保護ゴム層７は剥離容易な状態で加硫接着されている。
【００１７】
被覆ゴム層６及び保護ゴム層７の材質は特に限定するものではないが、被覆ゴム層６は積層体３と強固に加硫接着するために、ゴム板２と同じゴム組成物から構成することが好ましく、一方で保護ゴム層７は最内層の保護ゴム層７ａが被覆ゴム層６から剥離し易くなるように、被覆ゴム層６とは異なるゴム組成物から構成することが好ましい。また、被覆ゴム層６と保護ゴム層７の肉厚及び層数についても特に限定するものではないが、保護ゴム層７の肉厚は被覆ゴム層６よりも薄くする必要がある。更に、複数の保護ゴム層７の肉厚は、製造コストを低減するために、全て同じ大きさになるようにするのがよい。それら、被覆ゴム層６と保護ゴム層７との合計肉厚は約１０ｍｍ程度になるようにするのがよく、例えば、５ｍｍ厚の被覆ゴム層６の外周に、２ｍｍ厚の保護ゴム層７を３層積層する構成が例示される。
【００１８】
このように支承体を構成することにより、被覆ゴム層６及び複数の保護ゴム層７によって支承体のゴム板２の外周面を保護して支承体の耐候性を優れたものにすると共に、保護ゴム層７がオゾンクラックなどの損傷を受けたときには、その損傷した保護ゴム層７のみを剥離するだけでよいため、メンテナンスを容易にすることができる。また、保護ゴム層７の端部を互いに重ね合わせるようなことがないため、支承体の見栄えを損なうようなことはない。更には、保護ゴム層７が複数層あるため、保護ゴム層７にオゾンクラックなどの損傷が生じても、接合面８を境として内部への進展を防止することができるので、支承体の使用寿命を延長することができる。
【００１９】
なお、必ずしも損傷した保護ゴム層７全体を剥離する必要はなく、オゾンクラック等の損傷が生じた部分のみ切り取って剥離するようにしてもよい。
【００２０】
上記の支承体の製造方法を以下に説明する。
【００２１】
まず、複数の鋼板１とゴム板２とを上下方向に交互に積層することで積層体３を構成する。次に、その積層体３の外周面に被覆ゴム層６を設ける。そして、被覆ゴム層６の外周に複数の保護ゴム層７を順に積層する。被覆ゴム層６と最内層の保護ゴム層７ａとの間の接合面８、及び保護ゴム層７同士の間の接合面８には、接着部９と非接着部１０とを形成し、保護ゴム層７が容易に剥離できるようにする。接着部９と非接着部１０は、互い違いとなるように接合面８に配置するのがよく、例えば図３（ａ）のような千鳥格子状や、図３（ｂ）のような縞馬状が例示される。この非接着部１０は、接合面８に離型剤を塗布、又はポリエステルフィルムなどの離型紙を貼付することにより構成することができる。このようにして構成した積層体３を一体的に加硫した後に、上部プレート４と下部プレート５を取り付けて支承体を製造する。
【００２２】
上記の接着部９と非接着部１０の位置は、隣接する接合面８間でそれぞれ同じ部分と径方向で重ならないようにすることが望ましい。そのようにすることで、保護ゴム層７を１枚ずつ剥離することが容易になる。
【００２３】
また、複数の保護ゴム層７は、互いに異なる色で着色するのがよい。そのようにすることで、剥離した保護ゴム層７の数や状態を容易に知ることができるため、支承体の維持管理が容易になる。
【００２４】
図４は、本発明の別の実施形態からなる支承体を示す。
【００２５】
この支承体は、積層体３の上部側及び下部側の一部に複数の保護ゴム層７を積層したものである。一般に支承体においては、積層体３の上部及び下部に応力が集中するため、それらの部分が特にクラック等の損傷を受けやすい。このように、損傷を受けやすい部分にのみ保護ゴム層７を積層するようにしたので、上記の実施形態の支承体に比べて、製造コストを低減し、かつメンテナンスを更に容易にすることができる。
【００２６】
本発明の支承体は、屋外で使用される支承体、例えば橋梁の支持装置などに好適に用いることができる。
【符号の説明】
【００２７】
１  鋼板
２  ゴム板
３  積層体
４  上部プレート
５  下部プレート
６  被覆ゴム層
７  保護ゴム層
８  接合面
９  接着部
１０  非接着部
【図１】
2011058312.tif 000003
【図２】
2011058312.tif 000004
【図３】
2011058312.tif 000005
【図４】
2011058312.tif 000006